【手続補正書】
【提出日】平成18年11月21日(2006.11.21)
【手続補正１】
【補正対象書類名】特許請求の範囲
【補正対象項目名】全文
【補正方法】変更
【補正の内容】
【特許請求の範囲】
【請求項１】
トナー像を担持する像担持体と、前記像担持体上にトナーを現像する現像手段と、前記像担持体上のトナー像を転写材に転写するためのベルトと、を有し、前記像担持体上のトナー像は前記ベルトと対向する対向位置において前記像担持体から転写され、前記ベルトは、前記対向位置において、前記像担持体と接触及び離間が可能であり、前記現像手段は転写材へは転写しないトナーである排出トナーを前記像担持体上に排出するモードを有する画像形成装置において、
前記像担持体上の前記排出トナーが前記ベルトに対向する時に、前記ベルトが前記像担持体と離間状態にあるように制御することを特徴とする画像形成装置。
【請求項２】
トナー像を担持する像担持体と、前記像担持体上にトナーを現像する現像手段と、前記像担持体上のトナー像を転写材に転写するためのベルトと、前記像担持体上のトナーを転写するための転写手段と、を有し、前記像担持体上のトナー像は前記転写手段に転写バイアスを印加することで前記像担持体から転写され、前記現像手段は転写材へは転写しないトナーである排出トナーを前記像担持体上に排出するモードを有する画像形成装置において、
前記像担持体上の前記排出トナーが前記ベルトに対向する時の転写バイアスは、転写材へ転写するトナー像を転写する時の転写バイアスよりも小さいことを特徴とする画像形成装置。
【請求項３】
トナー像を担持する像担持体と、前記像担持体上にトナーを現像する現像手段と、前記像担持体上のトナー像を転写材に転写するためのベルトと、前記像担持体上のトナーを転写するための転写手段と、前記転写手段へ転写バイアスを印加する電源を有し、前記像担持体上のトナー像は前記転写手段に転写バイアスを印加することで前記像担持体から転写され、前記現像手段は転写材へは転写しないトナーである排出トナーを前記像担持体上に排出するモードを有する画像形成装置において、
前記像担持体上の前記排出トナーが前記ベルトに対向する時は前記転写手段と前記電源との間の電気的な接続を切ることを特徴とする画像形成装置。
【請求項４】
トナー像を担持する第１及び第２の像担持体と、前記第１の像担持体上にトナーを現像する第１の現像手段と、前記第２の像担持体上にトナーを現像する第２の現像手段と、前記像担持体上のトナー像を転写材に転写するためのベルトと、を有し、前記第１の像担持体上のトナー像は前記ベルトと対向する第１の対向位置において前記像担持体から転写され、前記第２の像担持体上のトナー像は前記ベルトと対向する第２の対向位置において前記像担持体から転写され、前記第１の現像手段は転写材へは転写しないトナーである排出トナーを前記第１の像担持体上に排出することが可能であり、前記第２の現像手段は前記第２の像担持体上に排出トナーを排出することが可能である画像形成装置において、
前記第１の対向位置にて前記ベルトに転写された前記第１の像担持体上の排出トナーが前記ベルトによって前記第２の対向位置に来る時に、前記第２の像担持体上の排出トナーが前記第２の対向位置に来るように制御することを特徴とする画像形成装置。
【請求項５】
前記ベルトは前記像担持体からトナー像の転写を受け、前記ベルト上のトナー像は転写材へ転写されることを特徴とする請求項１から４のいずれか一項に記載の画像形成装置。
【請求項６】
前記ベルトは転写材を担持し、前記像担持体上のトナー像は前記ベルト上に担持された転写材へ転写されることを特徴とする請求項１から４のいずれか一項に記載の画像形成装置。
【手続補正２】
【補正対象書類名】明細書
【補正対象項目名】００２５
【補正方法】変更
【補正の内容】
【００２５】
上述のように、現像手段からの吐き出しトナーが、中間転写ベルトまたは転写材搬送体上から除去するトナーを蓄積するスペースを多く要する等の構成上の制約が増えることとなる。
【手続補正３】
【補正対象書類名】明細書
【補正対象項目名】００２６
【補正方法】変更
【補正の内容】
【００２６】
要約すれば、第１の本発明は、トナー像を担持する像担持体と、前記像担持体上にトナーを現像する現像手段と、前記像担持体上のトナー像を転写材に転写するためのベルトと、を有し、前記像担持体上のトナー像は前記ベルトと対向する対向位置において前記像担持体から転写され、前記ベルトは、前記対向位置において、前記像担持体と接触及び離間が可能であり、前記現像手段は転写材へは転写しないトナーである排出トナーを前記像担持体上に排出するモードを有する画像形成装置において、
前記像担持体上の前記排出トナーが前記ベルトに対向する時に、前記ベルトが前記像担持体と離間状態にあるように制御することを特徴とする画像形成装置である。
第２の本発明は、トナー像を担持する像担持体と、前記像担持体上にトナーを現像する現像手段と、前記像担持体上のトナー像を転写材に転写するためのベルトと、前記像担持体上のトナーを転写するための転写手段と、を有し、前記像担持体上のトナー像は前記転写手段に転写バイアスを印加することで前記像担持体から転写され、前記現像手段は転写材へは転写しないトナーである排出トナーを前記像担持体上に排出するモードを有する画像形成装置において、
前記像担持体上の前記排出トナーが前記ベルトに対向する時の転写バイアスは、転写材へ転写するトナー像を転写する時の転写バイアスよりも小さいことを特徴とする画像形成装置である。
【手続補正４】
【補正対象書類名】明細書
【補正対象項目名】００２７
【補正方法】変更
【補正の内容】
【００２７】
第３の本発明は、トナー像を担持する像担持体と、前記像担持体上にトナーを現像する現像手段と、前記像担持体上のトナー像を転写材に転写するためのベルトと、前記像担持体上のトナーを転写するための転写手段と、前記転写手段へ転写バイアスを印加する電源を有し、前記像担持体上のトナー像は前記転写手段に転写バイアスを印加することで前記像担持体から転写され、前記現像手段は転写材へは転写しないトナーである排出トナーを前記像担持体上に排出するモードを有する画像形成装置において、
前記像担持体上の前記排出トナーが前記ベルトに対向する時は前記転写手段と前記電源との間の電気的な接続を切ることを特徴とする画像形成装置である。
第４の本発明は、トナー像を担持する第１及び第２の像担持体と、前記第１の像担持体上にトナーを現像する第１の現像手段と、前記第２の像担持体上にトナーを現像する第２の現像手段と、前記像担持体上のトナー像を転写材に転写するためのベルトと、を有し、前記第１の像担持体上のトナー像は前記ベルトと対向する第１の対向位置において前記像担持体から転写され、前記第２の像担持体上のトナー像は前記ベルトと対向する第２の対向位置において前記像担持体から転写され、前記第１の現像手段は転写材へは転写しないトナーである排出トナーを前記第１の像担持体上に排出することが可能であり、前記第２の現像手段は前記第２の像担持体上に排出トナーを排出することが可能である画像形成装置において、
前記第１の対向位置にて前記ベルトに転写された前記第１の像担持体上の排出トナーが前記ベルトによって前記第２の対向位置に来る時に、前記第２の像担持体上の排出トナーが前記第２の対向位置に来るように制御することを特徴とする画像形成装置である。
【手続補正５】
【補正対象書類名】明細書
【補正対象項目名】００２８
【補正方法】変更
【補正の内容】
【００２８】
本発明の画像形成装置は、現像手段から排出される排出トナーの中間転写ベルト等への転写を抑制することにより、中間転写ベルト上のトナーの除去負担を軽減することができる。従って、本発明によれば、例えば中間転写ベルト等の廃トナー容器の省スペース化を図ることができる。
【手続補正６】
【補正対象書類名】図面
【補正対象項目名】図９
【補正方法】変更
【補正の内容】
【図９】
2005156860.tif 000001